(57)【要約】      （修正有）【課題】帯状フィルムの側部を折り返し、小スペースで設置出来るガゼット袋を製造する方法。【解決手段】ガゼット袋を、平面部及び底面部を構成する一枚の帯状のメインフィルムと、側面部材を使用して製造する方法で、側面部材を、長手方向に搬送するメインフィルムの幅方向における中央の所定範囲の部位に、該メインフィルムの長手方向の所定間隔毎に上面に順次配置し、該側面部材と該メインフィルムとを両端部で仮シールする工程と、前記側面部材が上面に配置された前記メインフィルムの幅方向の両側部を折り返し部位として中心側へ折り返し、両側縁を中心部にて互いに突き合わせる工程と、折り返し部位とメインフィルムの幅方向における中央の非折り返し部位との境界部分を広げてガゼット袋の底面部として構成される拡開部を形成する工程と、メインフィルムと前記側面部材とを該側面部材の中心線に沿ってシールする工程と、を含むガゼット袋を製造する方法。【選択図】図１３
2010208332.tif 000002
【特許請求の範囲】
【請求項１】
平面部、側面部及び底面部を有するガゼット袋を、平面部及び底面部を構成する一枚の帯状のメインフィルムと、側面部を構成する側面部材とを使用して製造する方法であって、
前記側面部材を、長手方向に搬送する前記メインフィルムの幅方向における中央の所定範囲の部位に、該メインフィルムの長手方向の所定間隔毎に上面に順次配置し、該側面部材と該メインフィルムとを該側面部材の軸方向における両端部で仮シールする工程と、
前記側面部材が上面に配置された前記メインフィルムの幅方向の両側部を折り返し部位として中心側へ折り返し、両側縁を中心部にて互いに突き合わせる工程と、
前記折り返し部位とメインフィルムの幅方向における中央の非折り返し部位との境界部分を広げてガゼット袋の底面部として構成される拡開部を形成する工程と、
前記メインフィルムと前記側面部材とを該側面部材の中心線に沿ってシールする工程と、  を含むガゼット袋を製造する方法。
【請求項２】
帯状の側面フィルムの両側部を幅方向の中心へ折り込み、側縁同士を突き合わせ、長手方向に順次切断することにより前記側面部材を形成する工程をさらに含むことを特徴とする請求項１に記載のガゼット袋を製造する方法。
【請求項３】
前記側面部材が上面に配置された前記メインフィルムの幅方向の両側部を折り返し部位として中心側へ折り返し、両側縁を中心部にて互いに突き合わせる工程において、
前記側面部材の長手方向の両端より外側方向へずれた位置を基線として、該基線から前記メインフィルムの側縁までの部位を折り返し部位として折り返していることを特徴とする請求項１または２に記載のガゼット袋を製造する方法。
【請求項４】
前記側面部材が上面に配置された前記メインフィルムの幅方向の両側部を折り返し部位として中心側へ折り返し、両側縁を中心部にて互いに突き合わせる工程において、
前記非折り返し部位に、上面から当接する変曲ローラにより、前記メインフィルムの搬送方向を変位させ、両側の折り返し部位を上側へ折り曲げつつ搬送することを特徴とする請求項１乃至３のいずれかに記載のガゼット袋を製造する方法。
【請求項５】
前記折り返し部位と前記非折り返し部位との境界部分を広げてガゼット袋の底面部として構成される拡開部を形成する工程は、
前記折り返し部位と前記非折り返し部位との境界部分を上下に押し広げて、平坦な拡開部を形成することを特徴とする請求項１乃至４のいずれかに記載のガゼット袋を製造する方法。
【発明の詳細な説明】
【技術分野】
【０００１】
本発明は、包装袋特に側面が折り襞状に折り込まれたガゼット袋を連続的に形成するガゼット袋を製造する方法に関する。
【背景技術】
【０００２】
従来から、帯状フィルムを用いてガゼット袋を大量生産することが行われている。この手法によりガゼット袋を形成する場合次のようにしてガゼット袋は製袋されていた。
【０００３】
まず、帯状フィルムをその長手方向に搬送させ、その長手方向の所定間隔毎に側面部材用の側面フィルムを配置する。配置される側面フィルムは、帯状のフィルム材の両側部を中心へ折り込んで、側縁同士を突き合わせ、その後に、帯状フィルムの幅の寸法より若干短く形成された部材である。この側面フィルムはその長手方向が帯状フィルムの幅方向に一致させて配置される。
【０００４】
次いで、別の帯状フィルムを前記帯状フィルムと対向させるようにして搬送させ、側面フィルムを間に挟み込んで両帯状フィルムを重ね合わせる。そして、一対の帯状フィルムと側面フィルムとを側面フィルムの幅方向の中心部でシールする。
【０００５】
次いで、重ね合わされた帯状フィルムの側部を開き、開かれた部位に帯の底面部材を挿入する。挿入された底面部材は、帯状フィルムと側面部材とにシールされる。
【０００６】
その後、これらを側面部材の幅方向における中心で帯状フィルムがその長手方向に分離されるようにして順次切断されてガゼット袋が製袋される。
【０００７】
かかる手法によりガゼット袋を製袋する製袋装置並びに製袋方法は、特許文献１により既に開示されている。
【先行技術文献】
【特許文献】
【０００８】
【特許文献１】特開２０００−２５４９８４号公報
【発明の開示】
【発明が解決しようとする課題】
【０００９】
底面部材を帯状フィルムの側部に送り出し、この底面部材を配設するためには、重ね合わされた帯状フィルムの側部を開く必要がある。しかし、上述の従来手法では、上記特許文献１に記載されているように、単純に帯状フィルムをその長手方向に搬送させた状態で、一方の帯状フィルムについて、その側部を逆側の側部に向けて折り返している。
【００１０】
しかしながら、このような手法により、帯状フィルムの側部を開いていたのでは、完全に開いた状態となるまでにかなりの距離をかけて帯状フィルムを搬送させる必要がある。即ち、折り返される部位と、そのまま搬送される部位とでは、その軌跡の距離に差が生ずる。これを短い距離の間で無理に開かせようとすれば、側部が折り返される一方の帯状フィルムとそのまま搬送させている他方のフィルムとの間に、長手方向おけるずれが生じてしまい、適切な開き面を形成させることができない。この誤差の影響を小さくするためには、長い距離をかけて折り返す必要があった。このため、製袋装置を設置するためには非常に大きなスペースを必要としていた。
【００１１】
本発明は、かかる問題点に鑑みなされたものであり、短い距離で帯状フィルムの側部を折り返すことができ、小さなスペースでも設置することが可能なガゼット袋を製造する方法を提供する。
【課題を解決するための手段】
【００１２】
本発明では、上記課題を解決するため、以下のガゼット袋を製造する方法を採用した。
【００１３】
ガゼット袋を製造する方法は、平面部、側面部及び底面部を有するガゼット袋を、平面部及び底面部を構成する一枚の帯状のメインフィルムと、側面部を構成する側面部材とを使用して製造する方法であって、前記側面部材を、長手方向に搬送する前記メインフィルムの幅方向における中央の所定範囲の部位に、該メインフィルムの長手方向の所定間隔毎に上面に順次配置し、該側面部材と該メインフィルムとを該側面部材の軸方向における両端部で仮シールする工程と、前記側面部材が上面に配置された前記メインフィルムの幅方向の両側部を折り返し部位として中心側へ折り返し、両側縁を中心部にて互いに突き合わせる工程と、前記折り返し部位とメインフィルムの幅方向における中央の非折り返し部位との境界部分を広げてガゼット袋の底面部として構成される拡開部を形成する工程と、前記メインフィルムと前記側面部材とを該側面部材の中心線に沿ってシールする工程と、を含む。
【００１４】
以上のガゼット袋を製造する方法にあって、帯状の側面フィルムの両側部を幅方向の中心へ折り込み、側縁同士を突き合わせ、長手方向に順次切断することにより前記側面部材を形成する工程をさらに含む。
【００１５】
前記側面部材が上面に配置された前記メインフィルムの幅方向の両側部を折り返し部位として中心側へ折り返し、両側縁を中心部にて互いに突き合わせる工程において、前記側面部材の長手方向の両端より外側方向へずれた位置を基線として、該基線から前記メインフィルムの側縁までの部位を折り返し部位として折り返している。
【００１６】
前記側面部材が上面に配置された前記メインフィルムの幅方向の両側部を折り返し部位として中心側へ折り返し、両側縁を中心部にて互いに突き合わせる工程において、
前記非折り返し部位に、上面から当接する変曲ローラにより、前記メインフィルムの搬送方向を変位させ、両側の折り返し部位を上側へ折り曲げつつ搬送する。
【００１７】
前記折り返し部位と前記非折り返し部位との境界部分を広げてガゼット袋の底面部として構成される拡開部を形成する工程は、前記折り返し部位と前記非折り返し部位との境界部分を上下に押し広げて、平坦な拡開部を形成する。
【発明の効果】
【００１８】
本発明によれば、帯状のフィルム材をその長手方向に搬送させつつ折り曲げて包装袋の底面部又は側面部を形成する場合に、折り曲げ開始から終了までの、フィルム材の長手方向の距離を大幅に短縮できる。このため、製袋装置を極めてコンパクトに形成できる。また、折り曲げ開始から終了までの距離を短くする一方で、折り曲げられる部分と、折り曲げられない部分の軌跡の距離差をなくすため、フィルムの長手方向における両者の誤差を無くし品質の良い包装袋を形成できる。
【図面の簡単な説明】
【００１９】
【図１】本発明の製袋装置の概要を示す説明図。
【図２】図１の製袋装置に設けられた、側面部材を形成する機構を示す斜視図。
【図３】図２に示す機構とは別の態様により側面フィルムの端縁同士を貼り合わせる手段を示す図。
【図４】さらに別の態様により側面フィルムの端縁同士を貼り合わせる手段を示す図。
【図５】図４に示す態様で端縁同士を貼り合わせる際に使用するシールバーの斜視図。
【図６】さらに別の態様により側面フィルムの端縁同士を貼り合わせる手段を示す図。
【図７】側面部材配置機構、メインフィルム重ね合わせ機構を示す斜視図。
【図８】本発明の折り返し機構を備えた、開き面形成装置を示す斜視図。
【図９】メインフィルムの両側部に開き面が形成され、再び閉鎖されるまでの工程を示す説明図。
【図１０】開き面が形成される工程で、側面部材の両端に折り込み面が形成される工程を示す図。
【図１１】開き面が閉鎖された後、ガゼット袋が形成されるまでの一連の工程を示す概要図。
【図１２】本発明の第二の実施形態にかかる製袋装置の概要を示す図。
【図１３】メインフィルムに側面部材が配された後、拡開部が形成され、この拡開部が形成されるまでの一連の工程を示す説明図。
【図１４】折り返し機構の説明図。
【図１５】拡開部形成装置の概要を示す斜視図。
【図１６】図１５に示す拡開部形成装置に使用されている拡開ガイドの斜視図。
【図１７】図１６に示す拡開ガイドとは別の実施形態にかかる拡開ガイドの斜視図。
【図１８】図１５に示す拡開部形成装置を側方からみた図。
【図１９】図１５に示す拡開部形成装置により両側部に拡開部が形成されたメインフィルムの態様を示す斜視図。
【図２０】拡開部を閉鎖する工程を示す図。
【図２１】拡開部を形成する別の実施形態を示す図。
【図２２】図２１に示す実施形態について、流れの詳細を示す説明図。
【発明を実施するための形態】
【００２０】
以下、本発明の実施の形態について図面を参照しながら説明する。
【００２１】
図１〜図１１は、本発明の第一の実施形態を示している。この実施形態では、一対の帯状フィルムからなるメインフィルム１，２と、断面形状が矩形状に形成された筒体を平坦に折り畳むことで形成された複数の側面部材３とを用いてガゼット袋を製造する製袋装置及び製袋方法を示している。メインフィルム１，２は、ガゼット袋の袋本体部の平面部を構成し、側面部材３は袋本体部の側面部を構成する。
【００２２】
先ず、図１を参照して、この実施形態にかかる製袋装置並びに製袋方法の概要を説明する。
【００２３】
製袋装置は、工程の出発部分に、平面部を構成するメインフィルム１，２が巻き取られた２つのフィルムロール１Ａ，２Ａを備えており、これらフィルムロール１Ａ，２Ａから各メインフィルム１，２をその長手方向に送り出し、この製袋装置の下工程へ搬送させている。送り出された一方の第１のメインフィルム１には、その長手方向の所定の間隔毎に側面部材３が順次載置される。なお、第１のメインフィルム１上に配置される側面部材３は、その断面形状が矩形状に形成された筒状体が平坦に折り畳まれた部材である。側面部材３は、搬送されている第１のメインフィルム１の長手方向におけける所定の間隔毎に、この側面部材３の軸方向を第１のメインフィルムの幅方向に一致させて、側面部材３がメインフィルム１上に順次配置される。側面部材３が載置された後、第２のメインフィルム２を第１のメインフィルム１に重ね合わせる重ね合わせ機構が設けられており、一対のメインフィルム１，２で側面部材３を挟み込んだ状態でこれらは下工程へ搬送される。
【００２４】
重ね合わせ機構により第２のメインフィルム２が重ね合わされた後、側面部材３が各メインフィルム１，２と仮シールされる。その後、第２のメインフィルム２の両側部が所定の幅だけ中心側へ折り返され平坦な開き面１０が形成される。この開き面１０は、折り返されない第１のメインフィルム１の側部、上側に配された第２のメインフィルム２の折り返し部位、並びに側面部材３の両端部によって、平坦に形成される。そして、開き面１０には、ガゼット袋として完成された際、ガゼット袋の底面部となる帯状の底面フィルム９が重ね合わさる。その後、折り返された第２のメインフィルム２の両端が再び閉鎖され、下工程へ搬送される。
【００２５】
以下、この製袋装置が行う各工程について、図面を参照しつつ詳細を説明する。
【００２６】
図２は、配置される側面部材３を形成する工程を示している。側面部材３は帯状の側面フィルム３Ｂから形成される。この側面フィルム３Ｂは、その長手方向に搬送されており、折り返し機構２０にて、その両側部が側面フィルム３Ｂの幅方向の中心へ折り込まれている。
【００２７】
折り返し機構２０には、この側面部材３の幅方向における中央の所定範囲の部位を、両側部が折り曲げられる方向とは逆方向に変位させる変曲ローラ２１と、この変曲ローラ２１の下流部にて、側面フィルム３Ｂの外側方から中心に向けて延び、側面フィルム３Ｂの両側部を中心に向けて折り返すための折り返しバー２２，２２とを備えている。さらに、変曲ローラ２１の下流側には、側面フィルム３Ｂの幅方向における中心位置に配置され、側面フィルム３Ｂの搬送方向に延びる側縁ガイド２３が設けられている。
【００２８】
変曲ローラ２１は、側面フィルム３Ｂの幅方向における中央の所定範囲の位置にて、その軸方向が側面フィルム３Ｂの幅方向に延びるようにして配されている。この変曲ローラ２１の幅は、後に説明するように折り返されることのない非折り返し部位３ｂの幅に対応している。なお、変曲ローラ２１は、側面フィルム３Ｂの非折り返し部位３ｂを下方に変位させると共に、側面フィルム３Ｂを搬送途中で、搬送方向に変曲点が形成されるようにその搬送方向を変換している。
【００２９】
折り返しバー２２，２２は、丸棒材により形成され、側面フィルム３Ｂの両側方から中心に向けてそれぞれ延びている。各折り返しバー２２，２２の先端部２２ａ，２２ａは、変曲ローラ２１の直近から、側面部材３の搬送方向の下流側に向けて湾曲し、円弧状にそれぞれ形成されている。そして、円弧状に形成された先端部２２ａ，２２ａ同士は、側縁ガイド２３を間に位置させて、側縁ガイド２３の側面とそれぞれ対向している。
【００３０】
折り返しバー２２，２２の間に位置している側縁ガイド２３は、所定の厚みに形成された板状のブロックであり、変曲ローラ２１と対向する前端面は、鉛直に延びるように形成されている一方で、後端部は斜め後方下側に向けて斜めに傾斜する傾斜面により形成されている。
【００３１】
この折り返し機構２０は、以下のように、帯状の側面フィルム３Ｂの両側部に折り返し部位３ａ，３ａを形成する。
【００３２】
帯状の側面フィルム３Ｂが上方から斜め下方に向けて、その長手方向に搬送されて折り返し機構２０へ送り込まれる。送り込まれた側面フィルム３Ｂは、その幅方向における中央の所定範囲の部位が、変曲ローラ２１により下方に向け変位される。中央の所定範囲の部位が下方に変位されると、幅方向の両側部は、変曲ローラ２１の側面に沿うようにして上側に向けて折り曲げられる。この中央の所定範囲の部位が非折り返し部位３ｂであり、上側に向けて折り曲げられた部位が折り返し部位３ａ，３ａである。そして、折り返し部位３ａ，３ａの幅は、当該変曲ローラ２１を通過することで設定される。
【００３３】
この変曲ローラ２１を通過した側面部材３は、この変曲ローラ２１を境に、搬送方向が水平方向に変換される。そして、変曲ローラ２１により上方に向けて折り曲げられた折り返し部位３ａ，３ａは、折り返しバー２２，２２によって中心側へ押し込まれて、幅方向の中心に向けて折り返される。この際、円弧状に形成された折り返しバー２２，２２の先端部２ａ，２２ａで、側面フィルム３Ｂの側縁を側縁ガイド２３の側面に押し付けるとともに、折り返し部位３ａ，３ａが非折り返し部位３ｂと重ね合わされるように、折り返し部位３ａ，３ａを下方に向けて押圧する。これらの一連の作用により、側面フィルム３Ｂは変曲ローラ２１の幅に対応する非折り返し部位３ｂが幅方向の中間部分に形成されると共に、幅方向に両側部には所定幅の折り返し部位３ａ，３ａが形成される。
【００３４】
その後、側縁ガイド２３を通過した側面フィルム３Ｂは、側縁同士がこの側面フィルム３Ｂの幅方向における中心にて突き合わされ、折り返し部位３ａ，３ａと非折り返し部位３ｂとが互いに重ね合わされて、押圧ローラ２４，２４によりプレスされる。これら押圧ローラ２４，２４は、折り返されて筒状に形成された側面フィルム３Ｂの両側部に配されており、外側方から側面フィルム３Ｂに向けて延びる回転軸２５，２５に回転自在に支持されている。プレスされると、両側部には、折り返し部位３ａ，３ａと非折り返し部位との境界を構成する折り線が形成される。
【００３５】
この折り返し機構の下流側には突き合わせられた折り返し部位３ａ，３ａの側縁同士を貼り合わせるシール機構が設けられている。図２は、テープ４を使用して側縁同士を貼り合わせる実施の形態を示している。テープ４は搬送方向の上流側の上方から斜め下方に向けて突き合わせ部に向けて送り出される。突き合わされた折り返し部位３ａ，３ａの側縁同士は、テープ４が外面に密着されることにより、一体的に貼り合わされる。なお、突き合わせ部に対応する中心部には、送り出されたテープ４を折り返し部位３ａ，３ａの外面に押圧して密着させるローラ２６が設けられている。
【００３６】
なお、側縁同士は、図２に示す態様の他、図３〜図６に示す態様で貼り合わせてもよい。
【００３７】
図３は、テープ４を折り返し部位３ａ，３ａの内面側に送り込むことで折り返し部位３ａ，３ａの側縁同士を貼り合わせる態様を示している。テープ４は、側面フィルム３Ｂの搬送方向における上流側の上方から斜め下方に向けて突き合わせ部に向けて送り出される。そして、折り返し部位３ａ，３ａの端縁をテープ４に被せるようにしてプレスして、側縁同士を一体的に貼り合わせている。なお、この図３に示す態様では、テープ４の粘着層が上面に向けられている。
【００３８】
図４は、側面フィルム３Ｂの長手方向において、間欠的に側縁同士をヒートシールする態様を示し、図５は、ヒートシールする際に使用するシールバー６の一実施形態を示している。
【００３９】
この態様では、側縁同士が所定の幅だけ長手方向に沿ってオーバーラップされ、このオーバーラップされた部位が長手方向において間欠的にヒートシールされる。図４において、符号５により示された部位がヒートシールされた部位である。ヒートシールに使用されるシールバー６は、細長い矩形状のブロック上に形成されている。そして、シールバー６の下面には、その長手方向において所定の間隔ごとに下方に向けて突出する複数のシール部６ａ…６ａが形成されている。
【００４０】
このシールバー６は、折り返し部位３ａ，３ａの側縁同士がオーバーラップされた側面フィルム３Ｂの幅方向における中央にて、その長手方向を側面フィルム３Ｂの搬送方向に一致させて配される。そして、オーバーラップされた部位を順次プレスすることで、折り返し部位３ａ，３ａの側縁同士をヒートシールする。なお、搬送されている側面フィルム３Ｂは、シールバー６によりプレスされる毎に、一時停止される。一時停止された側面フィルム３Ｂは、シールバー６の上昇と共に再びその長手方向に搬送される。
【００４１】
この動作の繰り返しにより、折り返し部位３ａ，３ａの側縁同士が側面フィルム３Ｂの全長にわたって間欠的にヒートシールされる。
【００４２】
図６は、折り返し部位３ａ，３ａの内面にパートコートを施すこと、あるいは接着剤を付着させることにより側縁同士を貼り合わせる態様を示している。
【００４３】
折り返し部位３ａ，３ａと非折り返し部位３ｂの間には、突き合わせ部に対応する位置に搬送方向に延びるバー材７が設けられている。このバー材７の上面には、パートコート用のコーティング剤あるいは接着剤が塗布されている。一方、突き合わせ部の上方には、バー材７と対向するようにしてプレス用バー８が配されている。
【００４４】
この図６に示す態様では、折り返し部位３ａ，３ａの側縁同士が、プレス用バー８とバー材７との間に挟み込まれることで、内面にコーティング剤若しくは接着剤が付着され、一体的に貼り合わされる。
【００４５】
以上に説明したように側縁同士が貼り合わされた側面フィルム３Ｂは、その後、図７に示すように、その長手方向に分離されるように順次切断されて、所定の長さの側面部材３が形成される。なお、側面部材３は、袋本体部の平面部として構成されるメインフィルムの幅より若干短い寸法にそれぞれ切断される。その後、所定長さの側面部材３は、第１のメインフィルム１の上面に順次配置される。
【００４６】
側面部材３の配置される第１のメインフィルム１は、水平に配されてその長手方向に搬送されており、側面部材３がその上面に配置される。側面部材３は、この第１のメインフィルム１の側方から搬入されて、第１のメインフィルム１の長手方向における所定の間隔毎に、軸方向を第１のメインフィルム１の幅方向に一致させて配置される。この際、長さがＡに形成された側面部材３は、その両端が第１のメインフィルム１の側縁より寸法Ｂだけ内縁側に位置される。
【００４７】
側面部材３が配置された後、この図７に示すように、第１のメインフィルム１の上面には、第２のメインフィルム２が重ね合わされる。この第２のメインフィルム２は、第１のメインフィルム１と同一のフィルム材が使用されている。第２のメインフィルム２は、第１のメインフィルム１の上方から案内ローラ３１，３２により案内されて、第１のメインフィルム１の上面側に送り出される。そして、第２のメインフィルム２は、第１のメインフィルム１と同一方向に搬送され、側面部材３を挟み込んで、両メインフィルム１，２は重ね合わされる。
【００４８】
その後、側面部材３は、この側面部材３を挟み込んでいる一対のメインフィルム１，２とそれぞれ仮シールされる。仮シールされる仮シールポイントＰ，Ｐは、側面部材３の軸方向における両端部であり、かつ、側面部材３の幅方向における中心線上である。
【００４９】
その後、図８〜図１０に示すように、メインフィルム１，２の両側部には、折り返し機構４０により、平坦な開き面１０が形成される。この開き面１０は、上側に配置された第２のメインフィルム２の両側部を所定の幅だけ中心側へ折り返すことにより形成される。
【００５０】
この実施形態にかかる折り返し機構４０には、重ね合わされた一対のメインフィルム１，２の下部に配置され、これらを下工程に向けて案内している案内ローラ４１と、この案内ローラ４１の下流側にて、上側に配置された第２のメインフィルム２の上面に配された変曲ローラ４２と、変曲ローラ４２の更に下流側にて、メインフィルム１，２の両側部に配されたプレス用ローラ４３，４３とが設けられている。
【００５１】
案内ローラ４１は、その軸方向がメインフィルム１，２の幅方向に延びるようにして配されており、側面部材３を挟み込んでいるメインフィルム１，２を下から支持している。なお、これら一対のメインフィルム１，２は、この案内ローラ４１に到達するまでは、水平に維持された搬送される。この案内ローラ４１は、第２のメインフィルム２の折り込みが開始される折り込み開始部を構成している。
【００５２】
変曲ローラ４２は、その軸方向が案内ローラ４１の軸方向と平行をなすようにメインフィルム１，２の幅方向に一致させて配されている。この変曲ローラ４２は、その全長が、メインフィルム１，２の幅より所定の寸法だけ短く形成され、メインフィルム１，２の幅方向における中央の所定範囲の部位に配されている。
【００５３】
メインフィルム１，２の中央部分がこの変曲ローラ４２により下方に押し込まれ、案内ローラ４１から変曲ローラ４２までの区間におけるメインフィルム１，２の搬送方向は斜め下方に向かうように変化される。一方、第２のメインフィルム２の両側部は、変曲ローラ４２の側面より外側の部位が、変曲ローラ４２の側面に沿って上側に向けて折り曲げられる。さらに、変曲ローラ４２は、この変曲ローラ４２の前後において、下側に配された第１のメインフィルム１並びに上側に配された第２のメインフィルム２における幅方向中央の非折り込み部位１ｂの搬送方向を変化させている。即ち、案内ローラ４１から斜め下方に搬送されたメインフィルム１，２は、この変曲ローラ４２の下流側で再び水平に搬送される。
【００５４】
変曲ローラ４２の下流側に配されたプレス用ローラ４３，４３は、第２のメインフィルム２の折り返し部位２ａ，２ａが折り返される位置に対応する位置にそれぞれ配されており、メインフィルム１，２の外側方からメインフィルム１，２の側部に向けて延びる支持軸４４，４４の先端に回転可能に取り付けられている。これら、プレス用ローラ４３，４３は、変曲ローラ４２により上側に向けて折り曲げられた第２のメインフィルム２の折り返し部位２ａ，２ａを幅方向の中間部分を占める非折り返し部位２ｂに向けて押圧し、この部位をメインフィルムの中心側に向けて折り返している。
【００５５】
このプレス用ローラ４３，４３により第２のメインフィルム２の折り返し部位２ａ，２ａがプレスされることで、折り返しが終了し、開き面１０がメインフィルム１，２の両側にそれぞれ形成される。
【００５６】
そして、第２のメインフィルム２に折り返し部位２ａ，２ａを形成するに伴い、メインフィルム１，２の間に挟み込まれた側面部材３の両端部には、以下に説明するように菱形の折り込み面１１，１１が形成される。
【００５７】
側面部材３の両端部は、各メインフィルム１，２と仮シールされているので、側面部材３の両端は、上側に配された第２のメインフィルム２の折り返しに伴い、開かれる。
この際、側面部材３幅方向の両端に形成されている折り線の軸方向の端縁から所定の距離だけ内側に位置する点を基点Ｑ、Ｑとして、当該側面部材３は、これら各基点Ｑ、Ｑと、前記側面部材３と前記メインフィルムが仮シールされた、この側面部材３の中心線の端縁に位置する仮シールポイントＰとを結ぶ範囲が前記折り線と同方向に山折りされる。そして、側面部材３の端縁が中心位置にて互いに突き合わせられるようにして、側面部材３の端部に平坦な菱形の折り込み面１１，１１が形成される。この折り込み面１１，１１が、メインフィルム１，２の開かれた両側部と一体となって、開き面１０を構成する。
【００５８】
以上に説明した折り返し機構４０により、第２のメインフィルム２の両側部に折り返し部位２ａ，２ａを形成すると、折り返し開始部である案内ローラ４１の設置位置と、折り返し終了部であるプレス用ローラ４３，４３の設置位置との間を極めて短い距離に設定できる。
【００５９】
従来行われていた方法では、重ね合わされた一対のメインフィルムを単純に水平方向に搬送させた状態で。第１のメインフィルムの側部を中心側へ折り返すことで、平坦な開き面を形成していた。一般に、重ね合わされた帯状のフィルムのうち一方のフィルムのみについて側部を中心に向けて折り返すと、折り返される一方のフィルムの側部と、折り返されない他方のフィルムの側部とが通過する軌跡の距離には大きな差ができる。このため、搬送方向における短い区間で一方のフィルムを折り返すと、距離の差による影響を受け、一方のフィルムの側部と他方のフィルムの側部との間に、長手方向におけるずれが生じてしまう。従来、この不都合を防止するために、一方のフィルムのみを折り返す場合には、搬送方向において長い距離をかけて折り返していた。このため、従来の方法では、開き面１０を形成する為の広いスペースが必要であった。
【００６０】
これに対し、本実施形態にかかる製造装置では、変曲ローラ４２がメインフィルム中央の非折り返し部位２ｂを下方に向けて変位させている。そして、変曲ローラ４２の通過前後にて、メインフィルム１，２の搬送させる方向を変換している。このため、中央の非折り返し部位２ｂ、及び下側に配された第２のメインフィルム２の両側部が通過する軌跡の距離と、第１のメインフィルム１の折り返し部位２ａ，２ａが通過する軌跡の距離とを一致させることができる。このため、短い距離の間で折り返したとしても、ずれが生じることがなく、折り返し開始部である案内ローラ４１と、折り返し終了部であるプレス用ローラ４３，４３との距離を極めて短くすることができる。
【００６１】
メインフィルム１，２の両側部に開き面１０を形成した後、これら開き面１０には、帯状の底面フィルム９が重ね合わされる。この底面フィルム９は、ガゼット袋が完成された際、ガゼット袋の底面を構成する。底面フィルム９の幅は、開き面１０の幅とほぼ同寸に形成されており、その両側縁が、第１のメインフィルム１の折り返し部位２ａ，２ａの側縁、及び第２のメインフィルム２の側縁に一致されて重ね合わされる。
【００６２】
その後、開き面１０は、底面フィルム９が重ね合わされた状態で再び閉じられる。
【００６３】
開き面１０を閉じる閉鎖機構には、閉鎖開始部に対応する位置に変曲ローラ４５が第１のメインフィルム１の上部に設けられ、閉鎖終了部に対応する位置には、重ね合わされた一対のメインフィルム１，２を下から支持しつつ搬送させている案内ローラ４６がそれぞれ設けられている。さらに、この閉鎖機構には、メインフィルム１，２の両側部に、第１のメインフィルム１の折り返し部位２ａ，２ａと第２のメインフィルム２との境界線に沿って延びるガイド板４７，４７が設置されている。側面部材３の両端に形成された平坦な折り込み面１１，１１の中心はこのガイド板４７，４７の端縁によって折り線が形成され、開き面１０の閉鎖が補助されている。
【００６４】
この閉鎖機構を通過した後、図１１に示すように、メインフィルム１，２と側面部材３とは、側面部材３の中心線に沿ってそれぞれヒートシールされる。また、メインフィルム１，２と底面フィルム９とは、これらの側縁に沿って互いにヒートシールされる。
【００６５】
その後、メインフィルム１，２と側面部材３とは、メインフィルム１，２の幅方向の中心線Ｌ１にて左右に分離されるように切断され、次いで、側面部材３の中心線Ｌ２の位置で、メインフィルム１，２の長手方向に分離されるように順次切断される。
【００６６】
以上の工程を経て、対向する一対の平面部と、折り襞状に形成され、平面部の側縁同士を連結する一対の側面部と、矩形状の底面部とからなるガゼット袋が形成される。
【００６７】
次に図１２〜図２０を参照して、第二の実施形態について説明する。
【００６８】
図１２は、この第二の実施形態についての製袋装置、並びに製袋方法の概略を示している。この製袋方法では、ガゼット袋を一枚の帯状のメインフィルム５０と、複数の側面部材３とを使用して製袋する。なお、側面部材３は、上記の第一の実施形態に使用された部材と同一の部材である。
【００６９】
装置の出発点には、平面部並びに底面部として形成される帯状のメインフィルム５０が巻き取られたフィルムロール５０Ａが設置されている。メインフィルム５０は、このフィルムロール５０Ａから送り出されてその長手方向に搬送される。
【００７０】
搬送されたメインフィルム５０には、側面部材３が長手方向の所定の間隔毎に順次配置され、両者が仮シールさる。なお、側面部材３はメインフィルム５０の幅方向における中央の所定範囲の部位に配される。側面部材３が上面に配置されたメインフィルム５０は、そのまま下工程へ搬送され、折り返し機構５４によりその両側部がメインフィルム５０の中心側へ折り返される。この際、メインフィルム５０の両側縁は中心部にて互いに突き合わされる。その後、メインフィルム５０の折り返し部位５０ａ，５０ａは側面部材３の上面に仮シールされる。
【００７１】
その後、メインフィルム５０の両側部に、ガゼット袋の底面部として構成される拡開部１２，１２が形成される。拡開部１２，１２が形成された後、適宜シールされると共に、切断されてガゼット袋が形成される。
【００７２】
図１３は、メインフィルム５０に側面部材３が載置されてから、両側部に拡開部１２，１２が形成され、再び拡開部１２，１２が閉鎖されるまでの、一連の工程を示している。
【００７３】
側面部材３は、この図１３に示すように、メインフィルム５０の長手方向において、所定の間隔毎に順次配置される。また、これら側面部材３は、メインフィルム５０の幅方向における中央の所定範囲の部位Ｈ１に、その軸方向をメインフィルム５０の幅方向に一致させて配される。
【００７４】
側面部材３が配された後、メインフィルム５０は、折り返し機構５４へ搬送される。この折り返し機構５４では、メインフィルム５０の両側部を幅方向の中心へ漸次折り返している。折り返される部位は、この図１３に示すように、側面部材３の両端よりやや外側方へずれた位置を基線として、この基線からメインフィルム５０の側縁までの部位５０ａ，５０ａである。この部位が折り返し部位５０ａ，５０ａである。
【００７５】
この折り返し機構５４は、図１４に示すように、搬送されてきたメインフィルム５０の上面に配された変曲ローラ５７を有し、このメインフィルム５０の幅方向における中央の非折り返し部位５０ｂを下方へ向けて変位させている。また、両側の折り返し部位５０ａ，５０ａを非折り返し部位５０ｂの変位方向とは逆の上側へ向けて折り曲げている。変曲ローラ５７の下流側には、メインフィルム５０の両外側方からメインフィルム５０の中心部に向けて延びる折り返しバー５５，５５と、折り返し部位５０ａ，５０ａを非折り返し部位５０ｂに向けてプレスするプレスローラ５６，５６とが設けられている。折り返しバー５５，５５は、変曲ローラ５７によって上側に折り曲げられた折り返し部位５０ａ，５０ａを、幅方向の中心側へ押し込むようにして折り返している。一方、プレスローラ５６，５６は、折り返し部位５０ａ，５０ａをプレスすることで、非折り返し部位５０ｂとの境界に折り癖を形成せしめ、確実に折り返し状態を維持させている。
【００７６】
この折り返し機構５４に関しても、変曲ローラ５７が、非折り返し部位５０ｂを、折り返し部位５０ａ，５０ａの折り曲げ方向と逆側に変位させると共に、変曲ローラ５７より下流側では再び折り返し部位５０ａ，５０ａに向かうように搬送方向をコントロールすることで、非折り返し部位５０ｂの軌跡の距離を折り返し部位５０ａ，５０ａの軌跡の距離に強制的に一致させている。このため、折り返しの開始から折り返しの終了までの距離を極めて短く設定できる。
【００７７】
その後、側面部材３の両端は上側の折り返し部位５０ａ，５０ａとも仮シールされる。
【００７８】
そして、メインフィルム５０は、ガゼット袋として完成された際に、その底面部となる拡開部１２，１２がその両側部に形成される。図１５〜図１９は、拡開部１２，１２を形成させる拡開部形成装置６０の詳細をそれぞれ示している。拡開部形成装置６０は、両側部に位置する、折り返し部位５０ａ，５０ａと非折り返し部位５０ｂとの境界部分を、上下に押し広げる拡開ガイド６１，６１と、押し広げられたメインフィルム５０の両側部を平坦に形成する平坦形成部６５とを備えている。
【００７９】
拡開ガイド６１，６１は、三角形状の板材から構成されており、頂点部６２，６２を上流側に、底辺部６４，６４を下流側に向けて、両者が対向するようにして配置されている。これら拡開ガイド６１，６１は、図１６に示すように、その頂点部６２，６２が滑らかな円弧状に形成されているとともに、斜面部６３，６３がメインフィルム５０の中心側に向けて湾曲して円弧状に形成されている。
【００８０】
メインフィルム５０の両側部は、この拡開ガイド６１，６１により上下に押し広げられる。上下に押し広げられることに伴い、メインフィルム５０は、その幅方向の寸法が縮小される。この寸法の縮小に対応させるために、拡開ガイド６１，６１は、メインフィルム５０の幅方向に関し、下流に向かうに連れ両者の間隔が徐々に狭まるように斜めに傾けて配されている。なお、拡開ガイド６１，６１の頂点部６２，６２が円弧状に形成されているため、メインフィルム５０は頂点部６２，６２により傷つけられることなく押し広げが開始される。また、斜辺部６３，６３の断面形状が円弧状に形成されているので、メインフィルム５０がこの拡開ガイド６１，６１を通過する際に損傷されることがない。
【００８１】
なお、この拡開ガイドは、図１７に示すように、丸棒により形成してもよい。この図１７に示す拡開ガイド６１ａ，６１ａは、丸棒からなるガイド棒６２ａ，６２ａを折り曲げてＶ字状に形成し、このガイド棒６２ａ，６２ａの間の２ヶ所に補強材６３ａ，６４ａを配置して形成されている。この図１７に示す拡開ガイド６１ａ，６１ａについても、その頂点部６５ａ，６５ａは滑らかな円弧状にとなるようにガイド棒６２ａ，６２ａはそれぞれ湾曲されている。このため、メインフィルム５０は、拡開ガイド６１ａ，６１ａの頂点部６５ａ，６５ａによって傷つけられることなく拡開が開始される。また、ガイド棒６２ａ，６２ａとして丸棒が採用されているので、通過するメインフィルム５０を破裂してしまうことも防止する。
【００８２】
拡開ガイドにより両側部が押し広げられた後、メインフィルム５０の両端は、平坦形成部６５により、平坦面からなる拡開部１２，１２に形成される。
【００８３】
平坦形成部６５は、メインフィルム５０の上下に配された一対のブロック材６６，６６と、押し広げられたメインフィルム５０の両側部を、ブロック材６６，６６の側面に押圧するプレス用ローラ６７…６７とを備えている。
【００８４】
ブロック材６６，６６は、その幅が、側面部材３の長さより所定の長さだけ短く形成されており、メインフィルム５０の幅方向における中央の非折り返し部位５０ｂに対応する位置にて上下に対向するようにして配置されている。また、各ブロック材６６，６６の側面６６ａ，６６ａは、平坦に形成されており、拡開ガイド６１，６１により押し広げられたメインフィルム５０の両端がプレスされて拡開部１２，１２を円滑に形成させている。
【００８５】
そして、プレス用ローラ６７…６７は、図１８に示すように、ブロック材６６，６６の入口に対応する部位にて、これらブロック材６６，６６の両側部に、それぞれ設けられている。これらプレス用ローラ６７…６７は、押し広げられたメインフィルム５０の両端部分の上縁及び下縁をブロック材６６，６６の側面６６ａ，６６ａにプレスして平坦に形成させている。
【００８６】
図１９は、平坦形成部６５を通過した後のメインフィルム５０並びに側面部材３の状態を示している。この図１９から明らかなように、メインフィルム５０の幅方向における中央の所定範囲の部位は、折り返し部位５０ａ，５０ａと非折り返し部位５０ｂとが上下に重ね合わされて平坦な状態が保たれている。また、この部位では、側面部材３についても、メインフィルム５０に上下から挟み込まれるようにして平坦に折り畳まれている。一方、メインフィルム５０の両側部は、上下に張り出すように、幅方向の中央部分と直角をなすように平坦に形成されている。この部位が拡開部１２，１２である。
【００８７】
また、メインフィルム５０の内側では、側面部材３の両端部が平坦な菱形の折り込み面１３，１３が形成されている。この折り込み面１３，１３も側面部材３の軸方向における中央部に対して直角をなすように形成されている。
【００８８】
この菱形の折り込み面１３，１３についても、メインフィルム５０と仮シールされているので、側面部材３の両端は、メインフィルム５０に拡開部１２，１２が形成されることに伴い次のようにして形成される。側面部材３幅方向の両端に形成されている折り線の軸方向の端縁から所定の距離だけ内側に位置する点を基点Ｑ，Ｑとして、側面部材３は、これら各基点Ｑ，Ｑと、前記側面部材３と前記メインフィルム５０がシールされたこの側面部材３の中心線の端縁である仮シールポイントＰ，Ｐとを結ぶ範囲が前記折り線と同方向に山折りされる。そして、側面部材３の端縁が中心位置にて互いに突き合わせられるようにして、側面部材３の端部に平坦な菱形の折り込み面１３，１３が形成される。
【００８９】
両側部に拡開部１２，１２が形成された後、側面部材３に形成された折り込み面１３，１３とメインフィルム５０とが仮シールされる。また、メインフィルム５０の両側方に配置された検査機により、拡開部１２，１２の検査が行われる。この検査機は、拡開部１２，１２の画像を取り込むＣＣＤカメラと、検査の対象となる部位に光を照射する照明具とを備えている。ＣＣＤカメラにはモニタが接続され、拡開部１２，１２の状態を随時映し出している。これにより、拡開部１２，１２の状態を離れた位置からでも観測することができる。
【００９０】
これらの工程を経た後、拡開部１２，１２は閉じられる。図２０は、拡開部１２，１２を閉じる閉鎖機構を示している。この閉鎖機構には、拡開部１２，１２より外側方に配されたガイド板７０，７０と、閉じられた拡開部１２，１２をそれぞれ上下にプレスする閉鎖用ローラ７１…７１が設けられている。
【００９１】
ガイド板７０，７０は平板材から構成されており、拡開部１２，１２の上下方向における中心位置にて水平に配されている。このガイド板７０，７０の内縁は、拡開部１２，１２の外側面の直近に配され、拡開部１２，１２の閉鎖に伴い、中心位置に折り線を形成させている。
【００９２】
一方、閉鎖用ローラ７１…７１は、メインフィルム５０の外側方からメインフィルム５０の側部に向けて延びる回転軸７２…７２の先端に回転自在に支持されており、ガイド板７０，７０の下流側のメインフィルム５０の両側部にて、閉鎖された拡開部１２，１２の上下に配されている。これら閉鎖用ローラ７１…７１は、拡開部１２，１２を上下からプレスし、上流に配されているガイド板７０，７０を間に挟み込むようにして閉鎖させている。
【００９３】
以上の工程を経た後、各側面部材３は、その中心線に沿って、折り返し部位５０ａ，５０ａ並びに非折り返し部位５０ｂにそれぞれヒートシールされると共に、折り込み面１３，１３と拡開部１２，１２とを、折り込み面１３，１３の中心で突き合わされている側面部材３の端縁に沿ってヒートシールされる。その後、折り返し部位５０ａ，５０ａの側縁同士が突き合わされている、メインフィルム５０の中心にてメインフィルム５０及び側面部材３を左右に分離するように切断し、さらに、これらを側面部材３の中心線に沿ってメインフィルム５０の長手方向に分離するように順次切断する。これにより、平面部、側面部及び底面部から構成されるガゼット袋が複数形成される。
【００９４】
図２１及び図２２は別の実施形態により拡開部１４，１４を形成する態様を示している。  この実施形態では、メインフィルム５０の両側部を幅方向の中心に向けて折畳み、メインフィルム５０全体が平坦になるようにして拡開部１４，１４を形成している。
【００９５】
便宜のため、図２１及び図２２において、折り返し部位５０ａ，５０ａと非折り返し部との境界線である側縁の折り線部分をＸ部、側面部材３の側端に対応する位置をＹ部、起点Ｑに対応する位置をＲ部、拡開部１４，１４が形成された際に側縁をなす位置をＺ部として以下に説明する。なお、起点Ｑ及び仮シールポイントＰは、上述の実施形態と同様の意味である。
【００９６】
メインフィルム５０には、この拡開部形成部に到達する前に、側面部材３が、メインフィルム５０の幅方向に延びるようにして配されている。また、メインフィルム５０の側縁が幅方向の中心で突き合わされるようにして折り返し部位が形成され、側面部材３が、折り返し部位５０ａ，５０ａと非折り返し部位５０ｂとで上下から挟み込まれている。
【００９７】
この拡開部形成部に到達したメインフィルム５０は、その両側部が幅方向の中心に向けて折り畳まれる。先ず、Ｘ部が側縁部となっている状態（図２２（ａ）の状態）から、両側部は、Ｘ部を上側に向けて、非折り返し部位５０ｂについて、Ｚ部が山折りとなるように折り曲げられる。これと同時に、Ｙ部を山折りにして、Ｒ部が谷折りとなるようにして、折り返し部位５０ａ，５０ａを折り曲げられる。かかる作用に対応して、側面部材３は、仮シールポイントＰ，Ｐが互いに引き離され、所定の起点Ｑ，Ｑとこれら仮シールポイントＰ，Ｐとを結ぶ線が山折りに折り込まれる（図２２（ｂ）の状態）。
【００９８】
さらに、非折り返し部位５０ｂについては、Ｚ部を基部としてＸ部がＲ部に接近するように折り曲げる。一方、折り返し部位５０ａ，５０ａについては、Ｒ部を起部としてＹ部を中心側へ移動させる。これにより、側面部材３の端縁同士が、中心位置に向けて移動する（図２２（ｃ）の状態）。この作用を進めると、図２２（ｄ）に示すように、メインフィルム５０の両側部には、平坦な拡開部１４，１４がそれぞれ形成される。また、拡開部１４，１４の内部には、側面部材３が菱形に折り込まれた平坦な折り込み面１５，１５が形成される。
【００９９】
以上のようにメインフィルム５０の両側部に拡開部１４，１４を形成した後、適宜にヒートシールがなされると共に、切断されて、平面部、側面部、及び底面部からなるガゼット袋が形成される。
【０１００】
以上、帯状のフィルム材についてその両側部を適宜折り返してガゼット袋を形成するものについて説明したが、左右のバランスを良好に取ることができれば、片側の側部についてのみ折り返すことで製袋してもよい。
【符号の説明】
【０１０１】
１，２，５０  メインフィルム
２ａ，３ａ，５０ａ  折り返し部位
２ｂ，３ｂ，５０ｂ  非折り返し部位
３Ｂ  側面フィルム
３  側面部材
９  底面フィルム
１０  開き面
１１，１３，１５  折り込み面
１２，１４  拡開部
２０，４０，５４  折り返し機構
２１，４２，５７  変曲ローラ
２２，５５  折り返しバー
２３  側縁ガイド
２４  押圧ローラ
２６  ローラ
３１，３２  案内ローラ（重ね合わせ機構）
４１  案内ローラ
４３  プレス用ローラ
４７，７０  ガイド板
５６  プレスローラ
６０  拡開部形成装置
６１，６１ａ  拡開ガイド
６５  平坦形成部
６７  プレス用ローラ
Ｐ  起点
Ｑ  仮シールポイント
【図１】
2010208332.tif 000003
【図２】
2010208332.tif 000004
【図３】
2010208332.tif 000005
【図４】
2010208332.tif 000006
【図５】
2010208332.tif 000007
【図６】
2010208332.tif 000008
【図７】
2010208332.tif 000009
【図８】
2010208332.tif 000010
【図９】
2010208332.tif 000011
【図１０】
2010208332.tif 000012
【図１１】
2010208332.tif 000013
【図１２】
2010208332.tif 000014
【図１３】
2010208332.tif 000015
【図１４】
2010208332.tif 000016
【図１５】
2010208332.tif 000017
【図１６】
2010208332.tif 000018
【図１７】
2010208332.tif 000019
【図１８】
2010208332.tif 000020
【図１９】
2010208332.tif 000021
【図２０】
2010208332.tif 000022
【図２１】
2010208332.tif 000023
【図２２】
2010208332.tif 000024